(57)【要約】【課題】番組再生に必要な番組識別情報を効率よく事前取得し、選局処理を迅速に行う。【解決手段】放送受信部１２および１３は、デジタル放送波を受信する。デマルチプレクサ１５およびPSI処理部１７は、受信されたデジタル放送波から、番組識別情報を取得する。番組識別情報記憶部２０は、取得された番組識別情報を記憶する。デマルチプレクサ１４およびPSI処理部１７は、受信されたデジタル放送波から、番組識別情報とコンテンツのデータを取得する。デコーダ２２は、記憶されている番組識別情報で識別される、コンテンツのデータのデコードを開始する。取得された番組識別情報と、記憶されている識別情報が一致する場合、デコードの結果得られた再生データが出力される。放送番組が切り替わったチャンネルの番組識別情報が取得される。本発明は、デジタルテレビジョン受像機に適用することができる。【選択図】図３
2008289077.tif 000002
【特許請求の範囲】
【請求項１】
１つのイベントを構成するコンテンツのデータとともに、前記コンテンツのデータを識別する識別情報が多重化されているサービスが少なくとも２個以上多重化されているデジタルテレビジョン放送波を受信する受信装置において、
前記デジタルテレビジョン放送波を受信する２個の受信手段と、
第１の前記受信手段により受信された前記デジタルテレビジョン放送波から、識別情報を取得する事前識別情報取得手段と、
前記事前別情報取得手段により取得された前記識別情報を記憶する記憶手段と、
第２の前記受信手段により受信された前記デジタルテレビジョン放送波から、識別情報とコンテンツのデータを取得するイベント取得手段と、
前記記憶手段により記憶されている前記識別情報で識別される、前記イベント取得手段により取得された前記コンテンツのデータを再生する再生手段と、
前記イベント取得手段により取得された前記識別情報と、前記再生手段により再生された前記コンテンツのデータの前記識別情報が一致する場合、前記再生手段による再生の結果得られた再生データを出力する出力手段と
を備え、
前記事前識別情報取得手段は、
前記イベントの切り替わりを検出する検出手段と、
第１の受信手段を制御して、前記検出手段によりイベントが切り替わったことが検出されたサービスのデジタルテレビジョン放送波を受信させる受信制御手段と、
前記受信制御手段により受信された前記デジタルテレビジョン放送波から識別情報を取得する取得手段と
を備える受信装置。
【請求項２】
１つのイベントを構成するコンテンツのデータとともに、前記コンテンツのデータを識別する識別情報が多重化されているサービスが少なくとも２個以上多重化されているデジタルテレビジョン放送波を受信する受信装置の受信方法において、
前記受信装置の前記デジタルテレビジョン放送波を受信する２個の受信手段のうちの第１の前記受信手段により受信された前記デジタルテレビジョン放送波から、識別情報を取得する事前識別情報取得ステップと、
前記事前別情報取得ステップの処理で取得された前記識別情報を記憶する記憶ステップと、
第２の前記受信手段により受信された前記デジタルテレビジョン放送波から、識別情報とコンテンツのデータを取得するイベント取得ステップと、
前記記憶ステップの処理で記憶された前記識別情報で識別される、前記イベント取得ステップの処理で取得された前記コンテンツのデータを再生する再生ステップと、
前記イベント取得ステップの処理で取得された前記識別情報と、前記再生ステップの処理で再生された前記コンテンツのデータの前記識別情報が一致する場合、前記再生ステップによる再生の結果得られた再生データを出力する出力ステップと
を含み、
前記事前識別情報取得ステップは、
前記イベントの切り替わりを検出する検出ステップと、
前記第１の受信手段を制御して、前記検出ステップの処理でイベントが切り替わったことが検出されたサービスのデジタルテレビジョン放送波を受信させる受信制御ステップと、
前記受信制御ステップの処理で受信された前記デジタルテレビジョン放送波から識別情報を取得する取得ステップと
を含む受信方法。
【請求項３】
１つのイベントを構成するコンテンツのデータとともに、前記コンテンツのデータを識別する識別情報が多重化されているサービスが少なくとも２個以上多重化されているデジタルテレビジョン放送波を受信する受信処理をコンピュータに実行させるプログラムにおいて、
前記受信装置の前記デジタルテレビジョン放送波を受信する２個の受信手段のうちの第１の前記受信手段により受信された前記デジタルテレビジョン放送波から、識別情報を取得する事前識別情報取得ステップと、
前記事前別情報取得ステップの処理で取得された前記識別情報を記憶する記憶ステップと、
第２の前記受信手段により受信された前記デジタルテレビジョン放送波から、識別情報とコンテンツのデータを取得するイベント取得ステップと、
前記記憶ステップの処理で記憶された前記識別情報で識別される、前記イベント取得ステップの処理で取得された前記コンテンツのデータを再生する再生ステップと、
前記イベント取得ステップの処理で取得された前記識別情報と、前記再生ステップの処理で再生された前記コンテンツのデータの前記識別情報が一致する場合、前記再生ステップによる再生の結果得られた再生データを出力する出力ステップと
を含み、
前記事前識別情報取得ステップは、
前記イベントの切り替わりを検出する検出ステップと、
前記第１の受信手段を制御して、前記検出ステップの処理でイベントが切り替わったことが検出されたサービスのデジタルテレビジョン放送波を受信させる受信制御ステップと、
前記受信制御ステップの処理で受信された前記デジタルテレビジョン放送波から識別情報を取得する取得ステップと
受信処理をコンピュータに実行させるプログラム。
【発明の詳細な説明】
【技術分野】
【０００１】
本発明は受信装置および方法、並びにプログラムに関し、特に、放送の選局処理を迅速に行うことができるようにした受信装置および方法、並びにプログラムに関する。
【背景技術】
【０００２】
デジタルテレビジョン放送では、例えば、１つまたは複数のイベント（例えば、放送番組）を提供する複数のサービス（例えば、チャンネル）がMPEG（Moving Picture Experts Group）２の規格に準拠して多重化されている。
【０００３】
各放送番組を構成する映像情報、音声情報、またはデータ放送情報が、図１に示すように、それぞれPIDとよばれる任意の識別情報によって番号付けられて、PID別にトランスポートパケットとよばれる１パケット１８８バイト構成にパケット化されている。
【０００４】
またこの映像情報、音声情報またはデータ放送情報のトランスポートパケットの他、放送番組を構成する映像情報、音声情報またはデータ放送情報の識別情報であるPIDの関連性を示す情報が収められているPSI(Program Specific Information)のトランスポートパケット、およびPSIを拡張し番組情報などが収められているSI(Service Information)のトランスポートパケット、および映像情報や音声情報を再生するための基準時間となる時間情報が収めてられているPCR(Program Clock Reference)のトランスポートパケットが存在する。
【０００５】
PSIは、PAT（Program Association Table）、PMT（Program Map Table）、およびNIT(Network Information Table)等から構成されている。
【０００６】
PATは、現在送られている放送番組を示す情報である。PATには、現在送られている放送番組を識別するProgram Numberという番号が含まれており、この番号は、その各サービス（例えば、各チャンネル）の詳細情報が収められているPMTと１対１で対応している。
【０００７】
PMTは、例えばチャンネルごとの映像情報や音声情報の識別情報である。PMTには、対応するチャンネルに関連する映像情報の識別情報（Video Stream PID）、音声情報の識別情報（Audio Stream PID）、時刻基準情報の識別情報（PCR PID）、またその中の限定受信方式記述子で示されるECM PID（図示せず）などが含まれている。
【０００８】
NITには、チャンネル番号や変調方式、ガードインターバルなど、送信するネットワークに関する情報が含まれている。
【０００９】
SIは、EIT(Event Information Table)等から構成されている。
【００１０】
EITには、各チャンネルを構成する放送番組の名称や放送日時、放送内容など、放送番組に関連する情報が含まれている。EPG（Electronic Program Guide：電子番組表）は主にこの情報を用いて作成される。
【００１１】
これらのトランスポートパケットは、時分割されてトランスポートストリームを構成し、デジタルテレビジョン放送として送出される。
【００１２】
ところで、デジタルテレビジョン放送波から選局された放送番組を再生するには、まず、PSIのPATを取得し、再生する放送番組に対応するPMTを受信し、その映像情報の識別情報(Video stream PID)、音声情報の識別情報(Audio Stream PID)、時刻基準情報の識別情報(PCR PID)、およびECM PID等を取得することが必要となる。以下、個々に区別する必要がない場合、PMT内の、映像情報の識別情報(Video stream PID)、音声情報の識別情報(Audio Stream PID)、時刻基準情報の識別情報(PCR PID)、およびECM PIDを含む所定の情報を番組識別情報と称する。
【００１３】
すなわち、所望の放送番組の選局を行うには、PATとPMT（以下、個々に区別する必要がない場合、番組識別必要情報と称する）を取得する必要があるので、それの受信を待つ必要がある。
【００１４】
例えば米国のＡＴＳＣ規格(United States Advanced Television Committee)では、PATの再送周期＝１００ｍｓ、PMTの再送周期＝４００ｍｓと規定されているので、その時間だけ待つ必要がある。
【００１５】
また映像情報と音声情報を再生するに当たりそれらの同期をとる必要があるため、基準時刻となるPCRの値と、受信機が持っているPLLクロックの発振速度を同期させ、映像ストリームと音声ストリームがそれぞれ持っている再生時刻PTS（Presentation Time Stump)を受信機が持っているPLLクロックによりカウントアップした値に同期させる必要がある。
【００１６】
このように、選局された放送番組を出力するには、番組識別情報の取得や同期処理等の所定の前処理（以下、再生準備処理と称する）を行う必要があり、一定の時間がかかる。
【００１７】
そこで、スタンバイ時、あるいは視聴時に、複数チューナを用いるなどして全チャンネルを定期的に巡回して番組識別情報を事前に取得するようにして、選局処理を迅速に行う方法が存在する（特許文献１参照）。
【００１８】
図２は、この方法による番組識別情報の事前取得のタイミングを示している。図２において、影が付されている部分は、チャンネルの放送が受信されていることを意味している。すなわちこの例の場合、１つのチューナでチャンネル011chが受信され、その放送番組が視聴されている間、他のチューナで、チャンネル021ch、チャンネル041ch、チャンネル051ch、チャンネル061ch、およびチャンネル081chが、その順番で、所定の時間の間隔で受信されて、番組識別情報が取得されている。
【００１９】
【特許文献１】特開２００１−３４６１０９号公報
【発明の開示】
【発明が解決しようとする課題】
【００２０】
しかしながら、この方法では、常に受信処理を巡回させることが必要となるので、受信機の制御部の負荷の増大をまねき、消費電力の増大にもつながる。またSIのキャッシュなど、選局と並行して行う他の処理の妨げにもなる。
【００２１】
本発明はこのような状況に鑑みてなされたものであり、番組識別情報を効率よく事前取得し、選局処理を迅速に行うことができるようにするものである。
【課題を解決するための手段】
【００２２】
本発明の一側面の受信装置は、１つのイベントを構成するコンテンツのデータとともに、前記コンテンツのデータを識別する識別情報が多重化されているサービスが少なくとも２個以上多重化されているデジタルテレビジョン放送波を受信する受信装置において、前記デジタルテレビジョン放送波を受信する２個の受信手段と、第１の前記受信手段により受信された前記デジタルテレビジョン放送波から、識別情報を取得する事前識別情報取得手段と、前記事前別情報取得手段により取得された前記識別情報を記憶する記憶手段と、第２の前記受信手段により受信された前記デジタルテレビジョン放送波から、識別情報とコンテンツのデータを取得するイベント取得手段と、前記記憶手段により記憶されている前記識別情報で識別される、前記イベント取得手段により取得された前記コンテンツのデータを再生する再生手段と、前記イベント取得手段により取得された前記識別情報と、前記再生手段により再生された前記コンテンツのデータの前記識別情報が一致する場合、前記再生手段による再生の結果得られた再生データを出力する出力手段とを備え、前記事前識別情報取得手段は、前記イベントの切り替わりを検出する検出手段と、第１の受信手段を制御して、前記検出手段によりイベントが切り替わったことが検出されたサービスのデジタルテレビジョン放送波を受信させる受信制御手段と、前記受信制御手段により受信された前記デジタルテレビジョン放送波から識別情報を取得する取得手段とを備える。
【００２３】
本発明の一側面の受信方法、またはプログラムは、１つのイベントを構成するコンテンツのデータとともに、前記コンテンツのデータを識別する識別情報が多重化されているサービスが少なくとも２個以上多重化されているデジタルテレビジョン放送波を受信する受信装置の受信方法において、または１つのイベントを構成するコンテンツのデータとともに、前記コンテンツのデータを識別する識別情報が多重化されているサービスが少なくとも２個以上多重化されているデジタルテレビジョン放送波を受信する受信処理をコンピュータに実行させるプログラムにおいて、前記受信装置の前記デジタルテレビジョン放送波を受信する２個の受信手段のうちの第１の前記受信手段により受信された前記デジタルテレビジョン放送波から、識別情報を取得する事前識別情報取得ステップと、前記事前別情報取得ステップの処理で取得された前記識別情報を記憶する記憶ステップと、第２の前記受信手段により受信された前記デジタルテレビジョン放送波から、識別情報とコンテンツのデータを取得するイベント取得ステップと、前記記憶ステップの処理で記憶された前記識別情報で識別される、前記イベント取得ステップの処理で取得された前記コンテンツのデータを再生する再生ステップと、前記イベント取得ステップの処理で取得された前記識別情報と、前記再生ステップの処理で再生された前記コンテンツのデータの前記識別情報が一致する場合、前記再生ステップによる再生の結果得られた再生データを出力する出力ステップとを含み、前記事前識別情報取得ステップは、前記イベントの切り替わりを検出する検出ステップと、前記第１の受信手段を制御して、前記検出ステップの処理でイベントが切り替わったことが検出されたサービスのデジタルテレビジョン放送波を受信させる受信制御ステップと、前記受信制御ステップの処理で受信された前記デジタルテレビジョン放送波から識別情報を取得する取得ステップとを含む。
【００２４】
本発明の一側面の受信装置、受信方法、またはプログラムにおいては、受信装置のデジタルテレビジョン放送波を受信する２個の受信手段のうちの第１の前記受信手段により受信された前記デジタルテレビジョン放送波から、識別情報が取得され、取得された前記識別情報が記憶され、第２の前記受信手段により受信された前記デジタルテレビジョン放送波から、識別情報とコンテンツのデータが取得され、記憶された前記識別情報で識別される、取得された前記コンテンツのデータが再生され、取得された前記識別情報と、再生された前記コンテンツのデータの前記識別情報が一致する場合、再生の結果得られた再生データが出力され、前記イベントの切り替わりが検出され、前記第１の受信手段が制御されて、イベントが切り替わったことが検出されたサービスのデジタルテレビジョン放送波が受信され、受信された前記デジタルテレビジョン放送波から識別情報が取得される。
【発明の効果】
【００２５】
本発明の一側面によれば、番組識別情報を効率よく事前取得し、選局処理を迅速に行うことができる。
【発明を実施するための最良の形態】
【００２６】
以下に本発明の実施の形態を説明するが、本発明の構成要件と、明細書又は図面の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２７】
本発明の一側面の受信装置は、
１つのイベントを構成するコンテンツのデータとともに、前記コンテンツのデータを識別する識別情報が多重化されているサービスが少なくとも２個以上多重化されているデジタルテレビジョン放送波を受信する受信装置において、
前記デジタルテレビジョン放送波を受信する２個の受信手段（例えば、図３の放送受信部１２、放送受信部１３）と、
第１の前記受信手段により受信された前記デジタルテレビジョン放送波から、識別情報を取得する事前識別情報取得手段（例えば、図３の選局制御部１１、デマルチプレクサ１５、PSI処理部１７、事前処理制御部２４）と、
前記事前別情報取得手段により取得された前記識別情報を記憶する記憶手段（例えば、図３の番組識別情報記憶部２０）と、
第２の前記受信手段により受信された前記デジタルテレビジョン放送波から、識別情報とコンテンツのデータを取得するイベント取得手段（例えば、図３のデマルチプレクサ１４とPSI処理部１６）と、
前記記憶手段により記憶されている前記識別情報で識別される、前記イベント取得手段により取得された前記コンテンツのデータを再生する再生手段（例えば、図３のデコーダ２２）と、
前記イベント取得手段により取得された前記識別情報と、前記再生手段により再生された前記コンテンツのデータの前記識別情報が一致する場合、前記再生手段による再生の結果得られた再生データを出力する出力手段（例えば、図３のデコード処理制御部２１）と
を備え、
前記事前識別情報取得手段は、
前記イベントの切り替わりを検出する検出手段（例えば、事前処理制御２４）と、
第１の受信手段を制御して、前記検出手段によりイベントが切り替わったことが検出されたサービスのデジタルテレビジョン放送波を受信させる受信制御手段（例えば、事前処理制御部２４、選局制御部１１）と、
前記受信制御手段により受信された前記デジタルテレビジョン放送波から識別情報を取得する取得手段（例えば、図３のデマルチプレクサ１５、PSI処理部１７）と
を備える。
【００２８】
本発明の一側面の受信方法、またはプログラムは、
１つのイベントを構成するコンテンツのデータとともに、前記コンテンツのデータを識別する識別情報が多重化されているサービスが少なくとも２個以上多重化されているデジタルテレビジョン放送波を受信する受信装置の受信方法において、または１つのイベントを構成するコンテンツのデータとともに、前記コンテンツのデータを識別する識別情報が多重化されているサービスが少なくとも２個以上多重化されているデジタルテレビジョン放送波を受信する受信処理をコンピュータに実行させるプログラムにおいて、
前記受信装置の前記デジタルテレビジョン放送波を受信する２個の受信手段のうちの第１の前記受信手段により受信された前記デジタルテレビジョン放送波から、識別情報を取得する事前識別情報取得ステップ（例えば、図７のステップＳ５４乃至ステップＳ５７）と、
前記事前別情報取得ステップの処理で取得された前記識別情報を記憶する記憶ステップ（例えば、図７のステップＳ５９）と、
第２の前記受信手段により受信された前記デジタルテレビジョン放送波から、識別情報とコンテンツのデータを取得するイベント取得ステップと(例えば、図６のステップＳ１３)、
前記記憶ステップの処理で記憶された前記識別情報で識別される、前記イベント取得ステップの処理で取得された前記コンテンツのデータを再生する再生ステップ（例えば、図６のステップＳ１５）と、
前記イベント取得ステップの処理で取得された前記識別情報と、前記再生ステップの処理で再生された前記コンテンツのデータの前記識別情報が一致する場合、前記再生ステップによる再生の結果得られた再生データを出力する出力ステップ（例えば、図６のステップＳ１７、ステップＳ２０）と
を含み、
前記事前識別情報取得ステップは、
前記イベントの切り替わりを検出する検出ステップ（例えば、図７のステップＳ５４）と、
前記第１の受信手段を制御して、前記検出ステップの処理でイベントが切り替わったことが検出されたサービスのデジタルテレビジョン放送波を受信させる受信制御ステップ（例えば、図７のステップＳ５５）と、
前記受信制御ステップの処理で受信された前記デジタルテレビジョン放送波から識別情報を取得する取得ステップ（例えば、図７のステップＳ５７）と
を含む。
【００２９】
図３は、本発明を適用した受信装置１の構成例を示している。受信装置１は、情報源として放送メディアを対象とした処理を行うデジタルテレビジョン放送受信端末であり、アンテナ（図示せず）から放送波を受信し、リモートコントローラ（以下、リモコンと略称する）２による制御により、ユーザが選局した放送番組（映像、音声）や所定の情報（データ放送、SI（番組情報）など）を出力部３を構成するスピーカや表示部に出力する。
【００３０】
受信装置１はまた、選局処理に係る時間を短縮するために、番組識別情報を事前に取得する。ここで、この番組識別情報の取得方法について、その概略を説明する。
【００３１】
図４は、ARIB TR-B14、TR-B15で規定されているPSIを構成するPMTに収められている情報を示している。このようにPMTには、映像情報の識別情報（Video Stream PID）および音声情報の識別情報（Audio Stream PID）に対応するサービスIDを示すprogram_numberやPCR PID等が含まれているが、これらの情報は、通常、放送番組毎に決定されているので、事故時などの特別な場合を除き、同一放送番組内では変化しない。
【００３２】
すなわちPMTが更新されるタイミングは、放送番組の切り替わりと連動している場合が多く、そのPMTに含まれている、映像情報の識別情報(Video stream PID)、音声情報の識別情報(Audio Stream PID)、時刻基準情報の識別情報(PCR PID)、およびECM PIDを含む番組識別情報も放送番組の切り替わりと連動している。
【００３３】
そこで本発明では、PMT更新のこの特性に注目し、放送番組が切り替わったチャンネルを順次受信して、番組識別情報を取得するようにし、番組識別情報を事前に取得しておくようにするものである。
【００３４】
例えば図５の上段に示すようなチャンネル011ch乃至081chの放送が受信可能な場合において、図５の下段に示すように、１つのチューナでチャンネル011chが受信され、その放送番組が再生されているとき、他のチューナで、チャンネル021ch乃至081chが、放送番組が切り替わるタイミングで受信され、番組識別情報が取得される。なお図５において、薄い影が付されている部分は、放送が受信されていることを示し、濃い影が付されている部分は、PMTが変更されていることを示している。
【００３５】
このように放送番組が切り替わるタイミングで番組識別情報を取得するようにしたので、例えば図２の例ように、一定の間隔で番組識別情報を取得する場合に比べ、効率よく、番組識別情報を取得することができる。
【００３６】
次に、図３に戻り受信装置１の構成について説明する。なお図３中、実線はデータの流れを表し、破線は制御の流れを表している。これ以外にも各ブロックに対する制御パスが複数存在するが、ここでは主要なものだけが示されている。
【００３７】
受信装置１の選局制御部１１は、コマンド受信部２５から供給される、リモコン２から送信された選局コマンドに対応する制御信号に基づいて、所定のチャンネルの放送波の受信指令を放送受信部１２に出力する。この放送受信指令に基づいて受信されたチャンネルの放送番組が、後述するように出力部３から出力される。
【００３８】
選局制御部１１はまた、事前処理制御部２４から供給される制御信号に基づいて、所定のチャンネルの放送波の受信指令を放送受信部１３に出力する。この放送受信指令に基づいて受信されたチャンネルから、後述するように番組識別情報が事前に取得される。
【００３９】
放送受信部１２および放送受信部１３は、アンテナまたはケーブルを介して伝送されてくるデジタルテレビジョン放送波の中から、選局制御部１１からの受信指令に応じた所定の周波数の電波を選択的に受信し、復調、A/D変換、エラー訂正、および必要に応じてスクランブル解除などの処理を行い、トランスポートストリームを生成する。
【００４０】
放送受信部１２は、生成したトランスポートストリームをデマルチプレクサ１４に供給し、放送受信部１３は、生成したトランスポートストリームをデマルチプレクサ１５に供給する。
【００４１】
デマルチプレクサ１４は、放送受信部１２から供給されたトランスポートストリームを映像情報、音声情報、およびデータ放送情報と、これらの情報に付随するPSIおよびSI等の関連情報とに分離し、映像情報、音声情報、およびデータ放送情報をデコーダ２２に、関連情報をPSI処理部１６およびSI処理部１８に供給する。
【００４２】
デマルチプレクサ１５は、放送受信部１３から供給されたトランスポートストリームから、映像情報、音声情報、またはデータ放送情報に付随するPSIおよびSI等の関連情報を分離し、それを、PSI処理部１７およびSI処理部１９に供給する。
【００４３】
PSI処理部１６は、デマルチプレクサ１４から供給された関連情報の中から、番組識別必要情報（PAT、PMT）（すなわちリモコン２等により選局が指定されたチャンネルの番組識別必要情報）、NITおよびCATを抽出するとともに、抽出した番組識別必要情報から番組識別情報を取得する。
【００４４】
具体的には、PSI処理部１６は、デマルチプレクサ１４から供給された関連情報のPSIのPATを取得し、再生する放送番組に対応するPMTを受信し、それから、映像情報の識別情報(Video stream PID)、音声情報の識別情報(Audio Stream PID)、時刻基準情報の識別情報(PCR PID)、およびECM PID（図示せず）を抽出する。
【００４５】
PSI処理部１６は、取得した番組識別情報を、番組識別情報記憶部２０およびデコード処理制御部２１に供給する。
【００４６】
PSI処理部１７は、デマルチプレクサ１５から供給された関連情報の中から、PSI処理部１６と同様にして、番組識別必要情報（PAT、PMT）、NITおよびCATを抽出するとともに、その番組識別必要情報から番組識別情報を抽出し、これらを番組識別情報記憶部２０に供給する。
【００４７】
SI処理部１８は、デマルチプレクサ１４から供給された関連情報の中から、SIのEIT（放送番組に関する情報（放送時刻、番組タイトル、番組説明など））を抽出し、それらを事前処理制御部２４に供給する。
【００４８】
SI処理部１９は、デマルチプレクサ１５から供給された関連情報の中から、SIのEITを抽出し、それらを事前処理制御部２４に供給する。
【００４９】
番組識別情報記憶部２０は、PSI処理部１６またはPSI処理部１７から供給された番組識別情報を、内蔵する不揮発メモリなどに格納する。
【００５０】
デコード処理制御部２１は、後述するように、番組識別情報記憶部２０に記憶されている番組識別情報またはPSI処理部１６から供給された番組識別情報に基づいてデコーダ２２を制御し、番組識別情報によって識別される映像情報、音声情報またはデータ放送情報（すなわち番組コンテンツのデータ）のデコードを行わせる。
【００５１】
デコーダ２２は、デコード処理制御部２１の制御に従って、デマルチプレクサ１４から供給された映像情報、音声情報またはデータ放送情報をデコードし、その結果得られた信号を、出力制御部２３に供給する。
【００５２】
出力制御部２３は、デコーダ２２から供給された音声信号や映像信号を、スピーカや表示部からなる出力部３に出力する。
【００５３】
事前処理制御部２４は、SI処理部１８またはSI処理部１９から供給されたEITを格納するとともに、格納したEITを解析し、その結果得られた各チャンネルの放送番組の放送開始時刻に基づいて、放送番組の切り替えタイミングを検出する。事前処理制御部２４は、放送番組の切り替えが起ったチャンネルが順に選局されるように、選局制御部１１に対して必要なタイミングで制御信号を送出する。
【００５４】
コマンド受信部２５は、リモコン２からのコマンドを受信し、そのコマンドの内容に基づき、チャンネル切換や画面遷移に必要な命令を選局制御部１１、デコード処理制御部２１、またはUI制御部２６に出力する。
【００５５】
UI制御部２６は、事前処理制御部２４に格納されたEITに基づき、バナーや番組表（EPG）画面を生成し、出力制御部２３に供給する。このEPG画面は、デコーダ２２からの映像の表示信号本体と合成または切り替えられて、出力部３の表示部に表示される。
【００５６】
次に、図６のフローチャートを参照して受信装置１の選局処理を説明する。
【００５７】
ステップＳ１１において、選局制御部１１は、放送受信部１２を制御して、所定のチャンネルを受信させる。
【００５８】
選局制御部１１は、例えば受信装置１の電源が投入されたとき、記憶している前回の視聴終了時に選択されていたチャンネルの受信指令を放送受信部１２に出力する。また選局制御部１１は、コマンド受信部２５から選局コマンドが供給されたとき、そのコマンドで指定されているチャンネルの受信指令を放送受信部１２に出力する。
【００５９】
ステップＳ１２において、放送受信部１２によって受信されているトランスポートストリームがPLLロックされるまで待機し、ロックされたとき、ステップＳ１３による通常の選局処理と、ステップＳ１４およびステップＳ１５による再生準備処理とが、平行して開始される。
【００６０】
ステップＳ１３において、デマルチプレクサ１４は、放送受信部１２から供給されたトランスポートストリームを、映像情報、音声情報、またはデータ放送情報と、これらの情報に付随する関連情報とに分離し、映像情報、音声情報、またはデータ放送情報をデコーダ２２に、関連情報をPSI処理部１６およびSI処理部１８に供給する処理を開始する。
【００６１】
PSI処理部１６は、デマルチプレクサ１４から供給された関連情報の中から、番組識別必要情報（PAT、PMT）、NITおよびCATを抽出するとともに、番組識別必要情報から、番組識別情を抽出し、これらを番組識別情報記憶部２０およびデコード処理制御部２１に供給する処理を開始する。
【００６２】
SI処理部１８は、デマルチプレクサ１４から供給された関連情報の中から、EITを抽出し、それを事前処理制御部２４に供給する処理を開始する。
【００６３】
一方ステップＳ１４において、デコード処理制御部２１は、番組識別情報記憶部２０に選局されている（すなわちいま受信されている）チャンネルの番組識別情報が記憶されているか否かを判定し、記憶されていると判定した場合、ステップＳ１５において、その番組識別情報を、デコーダ２２に供給し、その番組識別情報によって識別される映像情報、音声情報またはデータ放送情報のデコードを開始させる。
【００６４】
これによりデコーダ２２は、映像ストリームと音声ストリームがそれぞれ持っている再生時刻PTSを受信装置１が持っているPLLクロック（図示せず）によりカウントアップした値に同期させるとともに、デマルチプレクサ１４から供給された、デコード処理制御部２１から供給された番組識別情報によって識別される映像情報、音声情報、またはデータ放送情報のデコードを開始する。
【００６５】
すなわちステップＳ１３で開始された処理で、いま受信されているチャンネルの番組識別情報の取得と平行して、事前に取得されていた番組識別情報に基づくデコードが開始される。
【００６６】
ステップＳ１３で、通常の選局処理が開始され、かつステップＳ１５で、デコード処理が開始されたとき、ステップＳ１６において、デコード処理制御部２１は、PSI処理部１６から番組識別情報が供給されるまで待機し（すなわち、ステップＳ１３で開始された通常の選局処理で番組識別情報が取得されるまで待機し）、PSI処理部１６から番組識別情報が供給されたとき、処理は、ステップＳ１７に進む。
【００６７】
ステップＳ１７において、番組識別情報が更新されたか否かが判定される。
【００６８】
具体的には、番組識別情報記憶部２０は、記憶している番組識別情報（事前に取得された番組識別情報）の例えばPMTのversion_numberおよびCRCと、PSI処理部１６から供給された番組識別情報の例えばPMTのversion_numberおよびCRCとを比較し、それらが一致している場合更新されていないと判定し、異なっている場合更新されたと判定し、その判定結果を、デコード処理制御部２１に通知する
【００６９】
なお番組識別情報記憶部２０に番組識別情報が記憶されていない場合は、更新されたものと判定される。
【００７０】
ステップＳ１７で、番組識別情報が更新されたと判定された場合、デコード処理制御部２１は、ステップＳ１８において、ステップＳ１５でデコードが開始されている場合、それを中止し、ステップＳ１９において、番組識別情報記憶部２０は、記憶している番組識別情報を更新する。
【００７１】
番組識別情報記憶部２０は、チャンネル毎に、番組識別情報を記憶しているので、PSI処理部１６から供給された、いま受信されているチャンネルの最新の番組識別情報を、先に記憶している番組識別情報に代えて記憶する。
【００７２】
その後処理は、ステップＳ１５に戻り、いま番組識別情報記憶部２０に記憶された番組識別情報が、デコーダ２２に供給され、その番組識別情報によって識別される映像情報、音声情報またはデータ放送情報のデコードが開始され、ステップＳ１６以降の処理が、同様に行われる。
【００７３】
ステップＳ１７で、番組識別情報が更新されていないと判定された場合、すなわち例えば事前に取得された番組識別情報が最新のものである場合、その番組識別情報で識別される映像情報等の出力が可能であるので、ステップＳ２０において、デコード処理制御部２１は、デコーダ２２を制御して、ステップＳ１５で開始されたデコードの結果得られた音声信号および映像信号の出力制御部２３への出力を開始させる。その結果、出力制御部２３は、デコーダ２２から供給された音声信号および映像信号を出力部３に出力して、音声信号に対応する音声を出力させたり、映像信号に対応する映像を表示させる。
【００７４】
このように選局されている放送番組の再生信号の出力が開始されると、選局処理は終了する。
【００７５】
以上のように、後述するように事前に取得された番組識別情報に基づくデコード処理（すなわち、再生準備処理）が（ステップＳ１５）、いま受信されているチャンネルの番組識別情報の取得（ステップＳ１３）と並行して行われるので、番組識別情報の更新の確認後に（ステップＳ１７）、直ちにその放送番組の再生信号の出力を開始することができ（ステップＳ２０）、選局処理を迅速に行うことができる。
【００７６】
次に、番組識別情報の事前取得処理を、図７のフローチャートを参照して説明する。
【００７７】
例えば受信装置１の電源が投入されると、ステップＳ５１において、事前処理制御部２４は、自分の不揮発メモリ上にすでにEITが記憶されているか否かを判定する。
【００７８】
ステップＳ５１で、EITが記憶されていないと判定された場合、ステップＳ５２において、事前処理制御部２４は、図６のステップＳ１３の処理で、EITがSI処理部１８から供給されるまで待機し（すなわちEITが取得されるまで待機し）、供給されたとき、ステップＳ５３に進む。
【００７９】
ステップＳ５１で、EITが記憶されていると判定されたとき、またはステップＳ５２で、EITが取得されたとき、ステップＳ５３において、事前処理制御部２４は、そのEITを解析し、各チャンネルの各放送番組の放送開始時刻を検出する。
【００８０】
ステップＳ５４において、事前処理制御部２４は、番組識別情報を取得すべきチャンネルが存在するか否かを判定する。
【００８１】
事前処理制御部２４は、最新の番組識別情報が番組識別情報記憶部２０に記憶されていないチャンネの有無を確認することになるが、具体的には、ステップＳ５３で検出した放送開始時刻に基づいて、先に番組識別情報を取得した時刻から現在時刻までの間に、番組の切り替わりが起こったチャンネルの有無を確認する。
【００８２】
ステップＳ５４で、番組識別情報を取得すべきチャンネルが存在すると判定した場合、ステップＳ５５において、事前処理制御部２４は、番組識別情報を取得すべきチャンネルを１つ選択する。ここで選択されるチャンネルは、アルゴリズムによって変化するが、例えば、以下ａ）乃至ｃ）に示すように、
ａ）最も小さなサービスIDを有するチャンネル
ｂ）番組が切り替わってから最も長い時間が経過しているチャンネル
ｃ）先に番組識別情報を取得した時刻から最も長い時間が経過しているチャンネル
が選択される。
【００８３】
事前処理制御部２４は、選択したチャンネルの受信を、選局制御部１１に指令する。これにより選局制御部１１は、放送受信部１３に対してそのチャンネルの受信命令を出力し、放送受信部１３は、そのチャンネルの受信を開始する。
【００８４】
ステップＳ５６において、放送受信部１３によって受信されたトランスポートストリームがPLLロックされるまで待機し、ロックされたとき、ステップＳ５７において、PATのフィルタリング、PATの取得、そしてPMTのフィルタリングといった、番組識別情報の取得処理が開始される。
【００８５】
すなわちデマルチプレクサ１５は、放送受信部１３から供給されたトランスポートストリームから、映像情報、音声情報、またはデータ放送情報に付随する関連情報を分離し、それをPSI処理部１７およびSI処理部１９に供給する処理を開始する。
【００８６】
PSI処理部１７は、デマルチプレクサ１５から供給された関連情報の中から、番組識別必要情報（PAT、PMT）、NITおよびCATを抽出するとともに、その番組識別必要情報から、番組識別情報を抽出し、番組識別情報記憶部２０に供給する処理を開始する。
【００８７】
SI処理部１９は、デマルチプレクサ１５から供給された関連情報の中から、SIのEITを抽出し、事前処理制御部２４に供給する処理を開始する。
【００８８】
このように番組識別情報の取得処理が開始されると、ステップＳ５８において、番組識別情報記憶部２０は、図６のステップＳ１７の場合と同様にして番組識別情報が更新されたか否かを判定し、更新されたと判定した場合、ステップＳ５９に進み、新しい番組識別情報を記憶する（すなわち、記憶している番組識別情報を更新する）。その後、処理は、ステップＳ５４に戻り、それ以降の処理が同様に行われる。
【００８９】
ステップＳ５８で、番組識別情報が更新されていないと判定された場合、またはステップＳ５９で新しい番組識別情報が記憶されたとき、処理は、ステップＳ５４に戻り、それ以降の処理が同様に行われる。
【００９０】
ステップＳ５４で、番組識別情報を取得すべきチャンネルが存在しないと判定された場合、処理は、ステップＳ５２に戻り、それ以降の処理が同様に行われる。なおこの際、例えば次に放送番組の切り替わりが起こる時刻までスタンバイ状態に移行して消費電力を抑えるなどの選択も可能である。
【００９１】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００９２】
図８は、上述した一連の処理をプログラムにより実行するコンピュータのハードウエアの構成例を示すブロック図である。
【００９３】
コンピュータにおいて、CPU（Central Processing Unit）２０１，ROM（Read Only Memory）２０２，RAM（Random Access Memory）２０３は、バス２０４により相互に接続されている。
【００９４】
バス２０４には、さらに、入出力インタフェース２０５が接続されている。入出力インタフェース２０５には、キーボード、マウス、マイクロホンなどよりなる入力部２０６、ディスプレイ、スピーカなどよりなる出力部２０７、ハードディスクや不揮発性のメモリなどよりなる記憶部２０８、ネットワークインタフェースなどよりなる通信部２０９、磁気ディスク、光ディスク、光磁気ディスク、或いは半導体メモリなどのリムーバブルメディア２１１を駆動するドライブ２１０が接続されている。
【００９５】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【００９６】
コンピュータ（CPU２０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア２１１に記録して、あるいは、ローカルエリアネットワーク、インターネット、デジタル衛星放送といった、有線または無線の伝送媒体を介して提供される。
【００９７】
そして、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【００９８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００９９】
なお、本発明の実施の形態は、上述した実施の形態に限定されるものではなく、本発明の要旨を逸脱しない範囲において種々の変更が可能である。
【図面の簡単な説明】
【０１００】
【図１】トランスポートパケットを説明する図である。
【図２】従来の番組識別情報取得処理を説明する図である。
【図３】本発明を適用した受信装置１の構成例を示すブロック図である。
【図４】PMTに収められている情報を示す図である。
【図５】受信装置１における番組識別情報取得処理を説明する図である。
【図６】受信装置１における選局処理を説明するフローチャートである。
【図７】番組識別情報の事前取得処理を説明するフローチャートである。
【図８】パーソナルコンピュータの構成例を示すブロック図である。
【符号の説明】
【０１０１】
１  受信装置，  １１  選局制御部，  １２  放送受信部，  １３  放送受信部，  １４  デマルチプレクサ，  １５  デマルチプレクサ，  １６  PSI処理部，  １７  PSI処理部，  １８  SI処理部，  １９  SI処理部，  ２０  番組識別情報記憶部，  ２１  デコード処理制御部，  ２２  デコーダ，  ２３  出力制御部，  ２４  事前処理制御部，  ２５  コマンド受信部
【図１】
2008289077.tif 000003
【図２】
2008289077.tif 000004
【図３】
2008289077.tif 000005
【図４】
2008289077.tif 000006
【図５】
2008289077.tif 000007
【図６】
2008289077.tif 000008
【図７】
2008289077.tif 000009
【図８】
2008289077.tif 000010